(57)【要約】【課題】  収納物品更新作業の効率が従来に比べて向上した物品貸出返却装置を提供する。【解決手段】  物品挿入口と、物品を個別に収納する複数の収納部と、物品挿入口から挿入された物品を収納部に搬入し、収納部に収納された物品を物品挿入口に搬出する移動可能な搬送装置と、物品の個別認証情報を物品に取付けられた記録媒体から読み取る読取装置と、手動操作可能なディスプレイと、搬送装置と読取装置とディスプレイの作動制御と収納物品の管理とを行う制御装置とを備える物品貸出返却装置であって、一部の複数の収納部が装填又は回収される物品を一時的に収納する一時収納部として使用され、搬送装置は一時収納部に収納された装填対象物品を収納部に搬入し、収納部に収納された回収対象物品を一時収納部に搬出する。【選択図】  図３
2008129739.tif 000002
【特許請求の範囲】
【請求項１】
物品挿入口と、物品を個別に収納する複数の収納部と、物品挿入口から挿入された物品を収納部に搬入し、収納部に収納された物品を物品挿入口に搬出する移動可能な搬送装置と、物品の個別認証情報を物品に取付けられた記録媒体から読み取る読取装置と、手動操作可能なディスプレイと、搬送装置と読取装置とディスプレイの作動制御と収納物品の管理とを行う制御装置とを備える物品貸出返却装置であって、一部の複数の収納部が装填又は回収される物品を一時的に収納する一時収納部として使用され、搬送装置は一時収納部に収納された装填対象物品を収納部に搬入し、収納部に収納された回収対象物品を一時収納部に搬出することを特徴とする物品貸出返却装置。
【請求項２】
一時収納部を形成する複数の収納部間の仕切りが取り払われて、単一の空間を有する一時収納部が形成され、当該一時収納部に収納された複数の物品を個別に搬送装置に搬出する搬出装置が前記単一の空間を有する一時収納部に配設されていることを特徴とする請求項１に記載の物品貸出返却装置。
【請求項３】
搬送装置は、一時収納部に収納された装填対象物品を、一時収納部に収納した時点から所定時間経過後に収納部に搬入することを特徴とする請求項１又は２に記載の物品貸出返却装置。
【請求項４】
搬送装置は、収納部に収納された物品を、収納部に収納した時点から所定時間経過後に回収対象物品として一時収納部に搬出することを特徴とする請求項１乃至３の何れか１項に記載の物品貸出返却装置。
【請求項５】
前記所定時間を、物品毎に設定可能であることを特徴とする請求項３又は４に記載の物品貸出返却装置。
【請求項６】
読取装置に対する物品の相対位置を調整する調整装置を備えることを特徴とする請求項１乃至５の何れか１項に記載の物品貸出返却装置。
【請求項７】
読取装置が搬送装置に取付けられていることを特徴とする請求項１乃至６の何れか１項に記載の物品貸出返却装置。
【請求項８】
搬送装置は、一時収納部に収納された装填対象物品であって、個別認証情報が読取不能であった物品を回収対象物品として一時収納部に搬出することを特徴とする請求項１乃至７の何れか１項に記載の物品貸出返却装置。
【請求項９】
搬送装置は、一時収納部に収納された装填対象物品であって、個別認証情報が読取不能であった物品を回収対象物品として物品挿入口に搬出することを特徴とする請求項１乃至７の何れか１項に記載の物品貸出返却装置。
【請求項１０】
物品挿入口を介する物品の装填回収が可能であり、一時収納部を介する物品の装填回収と、物品挿入口を介する物品の装填回収とが選択可能であることを特徴とする請求項１乃至９の何れか１項に記載の物品貸出返却装置。
【請求項１１】
収納部の空塞情報、使用可否情報、一時収納部か否かの情報をディスプレイから入力できることを特徴とする請求項１乃至１０の何れか１項に記載の物品貸出返却装置。
【発明の詳細な説明】
【技術分野】
【０００１】
本発明は、物品貸出返却装置に関するものである。
【背景技術】
【０００２】
物品挿入口と、物品を個別に収納する複数の収納部と、物品挿入口から挿入された物品を収納部に搬入し、収納部に収納された物品を物品挿入口に搬出する移動可能な搬送装置と、物品の個別認証情報を物品に取付けられた記録媒体から読み取る読取装置と、手動操作可能なディスプレイと、搬送装置と読取装置とディスプレイの作動を制御すると共に、収納物品の管理を行う制御装置とを備える物品貸出返却装置が特許文献１等に開示されている。
上記物品貸出返却装置においては、ユーザーがディスプレイを手動操作して借りたい物品を指定すると、搬送装置が移動して指定された物品を収納した収納部から物品挿入口へ指定された物品を搬出する。ユーザーが返却する物品を物品挿入口に挿入すると、搬送装置が移動して前記物品を空の収納部に搬入する。制御装置は、搬送装置と読取装置とディスプレイの作動を制御すると共に、読取装置が読み取った物品の個別認証情報と、物品を収納した収納部の個別認証情報とに基づいて、どの物品がどの収納部に収納されているかを認識し、収納物品の管理を行う。
【特許文献１】米国特許公開公報第２００２／００４６１２２号
【発明の開示】
【発明が解決しようとする課題】
【０００３】
特許文献１等に開示された従来の物品貸出返却装置においては、収納物品更新時に、オペレータが手作業で回収する物品を収納部から搬出し、装填する物品を収納部に搬入していた。このため、収納物品更新作業の効率が悪かった。また間違った物品を回収し、或いは物品を間違った装填場所に装填するという事態も発生していた。
本発明は上記問題に鑑みてなされたものであり、物品挿入口と、物品を個別に収納する複数の収納部と、物品挿入口から挿入された物品を収納部に搬入し、収納部に収納された物品を物品挿入口に搬出する移動可能な搬送装置と、物品の個別認証情報を物品に取付けられた記録媒体から読み取る読取装置と、手動操作可能なディスプレイと、搬送装置と読取装置とディスプレイの作動を制御すると共に、収納物品の管理を行う制御装置とを備える物品貸出返却装置であって、収納物品更新作業の効率が従来に比べて向上し、収納物品更新時の人為的なミスの発生が抑制された物品貸出返却装置を提供することを目的とする。
【課題を解決するための手段】
【０００４】
上記課題を解決するために、本発明においては、物品挿入口と、物品を個別に収納する複数の収納部と、物品挿入口から挿入された物品を収納部に搬入し、収納部に収納された物品を物品挿入口に搬出する移動可能な搬送装置と、物品の個別認証情報を物品に取付けられた記録媒体から読み取る読取装置と、手動操作可能なディスプレイと、搬送装置と読取装置とディスプレイの作動制御と収納物品の管理とを行う制御装置とを備える物品貸出返却装置であって、一部の複数の収納部が装填又は回収される物品を一時的に収納する一時収納部として使用され、搬送装置は一時収納部に収納された装填対象物品を収納部に搬入し、収納部に収納された回収対象物品を一時収納部に搬出することを特徴とする物品貸出返却装置を提供する。
本発明に係る物品貸出返却装置においては、一部の複数の収納部が装填又は回収される物品を一時的に収納する一時収納部として使用され、搬送装置は一時収納部に収納された装填対象物品を収納部に搬入し、収納部に収納された回収対象物品を一時収納部に搬出するので、オペレータは一時収納部から回収対象物品を取り出し、装填対象物品を一時収納部に入れるだけで、物品更新作業を終えることができる。この結果、物品更新作業効率が従来に比べて向上する。個々の収納部への物品の出し入れを搬送装置が自動的に行うことにより、収納物品更新時の人為的なミスの発生が抑制される。
【０００５】
本発明の好ましい態様においては、一時収納部を形成する複数の収納部間の仕切りが取り払われて、単一の空間を有する一時収納部が形成され、当該一時収納部に収納された複数の物品を個別に搬送装置に搬出する搬出装置が前記単一の空間を有する一時収納部に配設されている。
一時収納部を形成する複数の収納部間の仕切りを取り払って、単一の空間を有する一時収納部を形成することにより、一時収納部の物品収納容量が増加し、一時収納部に収納できる物品数が増加し、物品更新作業効率が向上する。単一の空間を有する一時収納部に複数の物品が一時収納されるので、前記一時収納部には、収納された物品を個別に搬送装置に搬出する搬出装置を配設するのが望ましい。
【０００６】
本発明の好ましい態様においては、搬送装置は、一時収納部に収納された装填対象物品を、一時収納部に収納した時点から所定時間経過後に収納部に搬入する。
一時収納部に装填対象物品を収納した時点と、当該物品の貸出開始時期との間にずれがある場合、装填対象物品を一時収納部に所定時間留め置き、貸出開始時期が到来した時点で、収納部に搬入するのが望ましい。オペレータが昼間に一時収納部に収納した装填対象物品は、貸出返却動作が少ない夜間に搬送装置が収納部に搬入するのが望ましい。
【０００７】
本発明の好ましい態様においては、搬送装置は、収納部に収納された物品を、収納部に収納した時点から所定時間経過後に回収対象物品として一時収納部に搬出する。
物品の回収時期が決まっている場合、収納部に物品を所定時間収納し、回収時期が到来した時点で、回収物品として一時収納部に搬出するのが望ましい。
【０００８】
本発明の好ましい態様においては、一時収納部に装填対象物品を収納した時点から当該物品の貸出開始時期までの所定時間、収納部に物品を収納した時点から当該物品の回収時期までの所定時間を、物品毎に設定可能である。
一時収納部に装填対象物品を収納した時点から当該物品の貸出開始時期までの所定時間が同一の複数の物品をまとめて前記所定時間を設定し、或いは、収納部に物品を収納した時点から当該物品の回収時期までの所定時間が同一の複数の物品をまとめて前記所定時間を設定しても良いが、前記所定時間を、物品毎に設定可能にすれば、正規時期に一時収納部から収納部へ確実に物品を搬入し、収納部から一時収納部へ確実に物品を搬出できる。
【０００９】
本発明の好ましい態様においては、物品貸出返却装置は読取装置に対する物品の相対位置を調整する調整装置を備える。
読取装置による物品の個別認証情報の読み取りが不調に終わった時には、読取装置に対する物品の相対位置を調整して再度読み取りを行うべきである。
【００１０】
本発明の好ましい態様においては、読取装置が搬送装置に取付けられている。
読取装置を搬送装置に取付けることにより、確実に物品の個別認証情報を読み取ることができる。
【００１１】
本発明の好ましい態様においては、搬送装置は、一時収納部に収納された装填対象物品であって、個別認証情報が読取不能であった物品を回収対象物品として一時収納部に搬出する。
本発明の好ましい態様においては、搬送装置は、一時収納部に収納された装填対象物品であって、個別認証情報が読取不能であった物品を回収対象物品として物品挿入口に搬出する。
個別認証情報が読取不能であった物品は、貸出不能なので、一時収納部に搬出し、或いは物品挿入口に搬出して、回収するのが望ましい。
【００１２】
本発明の好ましい態様においては、物品挿入口を介する物品の装填回収が可能であり、一時収納部を介する物品の装填回収と、物品挿入口を介する物品の装填回収とが選択可能である。
多数の物品をまとめて装填回収する場合には、一時収納部を介して物品を装填回収するのが望ましい。装填回収する物品の数が少ない場合には、物品挿入口を介して物品を装填回収する方がオペレータの負担が少ない。何れを介して物品を装填回収するか選択できれば、物品貸出返却装置の使い勝手が向上する。
【００１３】
本発明の好ましい態様においては、収納部の空塞情報、使用可否情報、一時収納部か否かの情報をディスプレイから入力できる。
収納部の空塞情報、使用可否情報、一時収納部か否かの情報をディスプレイから入力できれば、物品貸出返却装置の使い勝手が向上する。
【発明の効果】
【００１４】
本発明に係る物品貸出返却装置においては、一部の複数の収納部が装填又は回収される物品を一時的に収納する一時収納部として機能し、搬送装置は一時収納部に収納された装填対象物品を収納部に搬入し、収納部に収納された回収対象物品を一時収納部に搬出するので、オペレータは一時収納部から回収対象物品を取り出し、装填対象物品を一時収納部に入れるだけで、物品更新作業を終えることができる。この結果、物品更新作業の効率が従来に比べて向上する。
【発明を実施するための最良の形態】
【００１５】
ＤＶＤ貸出返却装置として具現化された本発明の実施例を説明する。
図１に示すように、ＤＶＤ貸出返却装置Ａは、前面が開放された薄型箱体から成るケース１と、ケース１の開放された前面を覆う揺動自在の扉２とを備えている。扉２に、ＤＶＤ挿入口３と、タッチパネル式の操作可能なディスプレイ４と、コイン投入口５とが取付けられている。
図２に示すように、プラスチックケースに収容されたＤＶＤ（Digital
Versatile Disk）（以下、単にＤＶＤと呼ぶ）を収納する多数の収納部６が、上下左右に積層されて、収納部積層体７を形成している。
収納部積層体７の右上隅に位置する一部の複数の収納部６間の仕切りが取り払われて、単一の空間を有する一時収納部８が形成されている。一時収納部８に積層収納されたＤＶＤを一時収納部８から個別に搬出するための搬出装置９が、一時収納部８の下部に配設されている。搬出装置９はローラーとローラーを回転駆動するモータとを有している。
図３に示すように、上下左右前後に移動して、ＤＶＤ挿入口３から挿入されたＤＶＤを収納部６に搬入し、収納部６に収納されたＤＶＤをＤＶＤ挿入口３に搬出するバケット１０と、バケット１０の駆動機構と、当該駆動機構を支える枠体とから成るバケット組立体１０’が、収納部積層体７の前方に配設されている。ＤＶＤ又はＤＶＤを収容するプラスチックケースに取付けられたＩＣタグやバーコード等の記録媒体からＤＶＤの個別認証情報を読み取る読取装置１１が、バケット１０の天井壁に取付けられている。
収納部積層体７、一時収納部８、バケット組立体１０’はケース１内に収容されている。
ディスプレイ４、バケット１０、バケット１０の駆動機構、搬出装置９、読取装置１１の作動を制御すると共に、収納部６に収納されたＤＶＤの管理を行う制御装置１２が、図１に示すようにケース１の上部に取付けられている。
【００１６】
ＤＶＤ貸出返却装置Ａの作動を説明する。
各収納部６に１枚のＤＶＤが収納されている。制御装置１２は、個々の収納部６の個別認証情報と、収納部６に収納されたＤＶＤの個別認証情報とを関連付けて記憶している。従って、制御装置１２は、どの収納部６にどのＤＶＤが収納されているか認識し、ＤＶＤを管理している。また制御装置１２は、どの収納部６が空か、どの収納部６が変形等により使用不能状態になっているかをも認識している。
ユーザーがディスプレイ４を手動操作して借りたいＤＶＤを指定すると、ＤＶＤ挿入口３に対峙する待機位置にあったバケット１０が、制御装置１２の制御下に移動して、指定されたＤＶＤを収納した収納部６からＤＶＤ挿入口３へ、指定されたＤＶＤを搬出する。
ユーザーが返却するＤＶＤをＤＶＤ挿入口３に挿入すると、待機位置にあったバケット１０がＤＶＤを受け取る。読取装置１１がＤＶＤに取付けられた記録媒体からＤＶＤの個別認証情報を読み取る。読取装置１１によるＤＶＤの個別認証情報の読み取りが不調に終わった時には、バケットが有するＤＶＤ駆動装置が作動して読取装置１１に対するＤＶＤの相対位置を調整し、その後再度読み取りを行う。記録媒体の不調等によりＤＶＤの個別認証情報を読み取ることができない場合、或いは読み取ったＤＶＤの個別認証情報が真正でない場合には、当該ＤＶＤはＤＶＤ挿入口３へ戻される。
読取装置１１が読み取ったＤＶＤの個別認証情報が真正であると、バケット１０が移動して、前記ＤＶＤを空の収納部６に搬入する。
ＤＶＤの個別認証情報と当該ＤＶＤを搬入した収納部６の個別認証情報とが制御装置１２へ送信される。この結果、どの収納部６にどのＤＶＤが収納されているか制御装置１２が認識した状態が維持される。
【００１７】
収納部６に収納されたＤＶＤを更新する際には、オペレータはディスプレイを操作して、或いは携帯端末を操作して、ＤＶＤ更新指令と回収対象ＤＶＤの個別認証情報とを制御装置１２に入力する。
ＤＶＤ挿入口３に対峙する待機位置にあったバケット１０が、制御装置１２の制御下に、回収対象ＤＶＤが収納された収納部６に対峙する位置へ移動し、当該収納部６から回収対象ＤＶＤを搬出する。バケット１０は、一時収納部８に対峙する位置へ移動し、回収対象ＤＶＤを一時収納部８に搬入する。オペレータは扉２を開き、一時収納部８から回収対象ＤＶＤを取り出し、装填対象ＤＶＤを積層して一時収納部８に入れる。オペレータが扉２を閉じると、ＤＶＤ挿入口３に対峙する待機位置にあったバケット１０が、制御装置１２の制御下に、一時収納部８に対峙する位置へ移動する。搬出装置９が作動して最下層のＤＶＤを一時収納部８からバケット１０に搬出する。読取装置１１がＤＶＤに取付けられた記録媒体からＤＶＤの個別認証情報を読み取り、読取が不調の場合にはＤＶＤの位置を調整した後再度ＤＶＤの個別認証情報を読み取り、読み取ったＤＶＤの個別認証情報を制御装置１２に伝達する。バケット１０は空の収納部６に対峙する位置へ移動し、ＤＶＤを当該収納部６に搬入する。
記録媒体の不調等により、ＤＶＤの個別認証情報を読み取ることができない場合には、当該ＤＶＤは貸出不能なので、回収対象ＤＶＤとして、一時収納部８又はＤＶＤ挿入口３に搬出される。
上記説明から分かるように、ＤＶＤ貸出返却装置Ａにおいては、オペレータは一時収納部８から回収対象ＤＶＤを取り出し、装填対象ＤＶＤを一時収納部８に入れるだけで、ＤＶＤ更新作業を終えることができる。この結果、ＤＶＤ更新作業効率が従来に比べて向上する。個々の収納部６へのＤＶＤの出し入れをバケット１０が自動的に行うことにより、ＤＶＤ更新時の人為的なミスの発生が抑制される。
一時収納部８は収納部積層体７の右上隅部に配設されているので、オペレータは楽な姿勢でＤＶＤ更新作業ができる。この結果、ＤＶＤ更新作業効率が向上する。
【００１８】
複数の収納部間６の仕切りを取り払って、単一の空間を有する一時収納部８を形成したので、一時収納部８の物品収納容量は大きく、一時収納部８に多数のＤＶＤを収納できる。この結果、ＤＶＤ更新作業の効率が更に向上する。単一の空間を有する一時収納部８に複数のＤＶＤが積層して一時収納されるが、一時収納部８には、最下層のＤＶＤをバケット１０に搬出する搬出装置９が配設されているので、一時収納部８に一時収納した複数のＤＶＤを個別にバケット１０に搬出することができる。
読取装置１１がバケット１０に取付けられているので、確実にＤＶＤの個別認証情報を読み取ることができる。
読取装置１１によるＤＶＤの個別認証情報の読み取りが不調の時に、読取装置１１に対するＤＶＤの相対位置を調整して再度読み取りを行うので、記録媒体自体が不調でなければ、確実にＤＶＤの個別認証情報を読み取ることができる。
記録媒体の不調等により、ＤＶＤの個別認証情報を読み取ることができない場合には、当該ＤＶＤは、回収対象ＤＶＤとして、一時収納部８又はＤＶＤ挿入口３に搬出されるので、貸出不能なＤＶＤが収納部６に収納されてＤＶＤ貸出返却装置Ａの機能が低下する事態は発生しない。
【００１９】
オペレータが一時収納部８に装填対象ＤＶＤを入れた時点と、当該ＤＶＤの貸出開始時期とがずれる場合がある。係る場合、オペレータの設定により或いはＤＶＤの個別認証情報により、装填対象ＤＶＤを一時収納部８に所定時間留め置き、貸出開始時期が到来した時点で、収納部６に搬入するのが望ましい。オペレータが昼間に一時収納部８に収納した装填対象ＤＶＤは、貸出返却動作が少ない夜間にバケット１０が収納部６に搬入するのが望ましい。
ＤＶＤの回収時期が決まっている場合がある。係る場合、オペレータの設定により或いはＤＶＤの個別認証情報により、収納部６にＤＶＤを所定時間収納し、回収時期が到来した時点で、回収対象ＤＶＤとして一時収納部８に搬出するのが望ましい。
オペレータが一時収納部８に装填対象ＤＶＤを入れた時点から当該ＤＶＤの貸出開始時期までの所定時間が同一の複数のＤＶＤをまとめて前記所定時間を設定し、或いは、収納部６にＤＶＤを収納した時点から当該ＤＶＤの回収時期までの所定時間が同一の複数のＤＶＤをまとめて前記所定時間を設定しても良いが、前記所定時間を、ＤＶＤ毎に設定可能にしても良い。前記所定時間をＤＶＤ毎に設定可能にすることにより、正規時期に一時収納部８から収納部６へ確実にＤＶＤを搬入し、収納部６から一時収納部８へ確実にＤＶＤを搬出できる。
【００２０】
多数のＤＶＤをまとめて装填回収する場合には、一時収納部８を介してＤＶＤを装填回収するのが望ましい。装填回収するＤＶＤの数が少ない場合には、ＤＶＤ挿入口３を介してＤＶＤを装填回収する方がオペレータの負担が少ない。扉２を開くことなくＤＶＤの更新作業ができる利点がある。オペレータの設定により、何れを介してＤＶＤを装填回収するか選択できるようにすれば、ＤＶＤ貸出返却装置Ａの使い勝手が向上する。
【００２１】
複数の収納部６間の仕切りを取り払って、単一の空間を有する一時収納部８を形成するのに代えて、一部の複数の収納部６を一時収納部８として使用することを制御装置１０に認識させても良い。この場合、回収対象ＤＶＤは一時収納部８として使用される一部の複数の収納部６に搬出され、オペレータは一時収納部８として使用される一部の複数の収納部６から回収対象ＤＶＤを取り出し、当該収納部６に装填対象ＤＶＤを入れることになる。バケットは、一時収納部８として使用される一部の複数の収納部６と、他の収納部６との間を往復して、回収対象ＤＶＤ、装填対象ＤＶＤは搬送することになる。
収納部６に収納されたＤＶＤをオペレータの判断により抜き取る場合がある。一部の収納部６が変形等により使用不適当状態になっているのをオペレータが発見する場合がある。単一の空間を有する一時収納部８を形成するのに代えて、一部の複数の収納部６を一時収納部８として使用することを制御装置１０に認識させている場合に、オペレータの判断で、一時収納部８として使用する収納部６を変更する場合がある。上記状況が発生し得ることを勘案して、収納部の空塞情報、使用可否情報、一時収納部か否かの情報を、オペレータがディスプレイ４から入力して、制御装置１２に認識させることができるようにするのが望ましい。ＤＶＤ貸出返却装置Ａの使い勝手が向上する。
【００２２】
オペレータの負担軽減のために、一時収納部８は収納部積層体７の右上隅部に配設されているが、図１〜３から分かるように、ユーザーの負担軽減のために、ＤＶＤ挿入口３も収納部積層体７の上部に対峙している。バケット１０はＤＶＤ挿入口３に対峙する位置で待機しているので、一時収納部８はバケット１０の待機位置に近接している。単一の空間を有する一時収納部８を形成するのに代えて、一部の複数の収納部６を一時収納部８として使用する場合、ＤＶＤ更新時以外は、バケット１０の待機位置に近い収納部６は、バケット１０の移動距離を短縮すべく、一時収納部８ではなく収納部６として使用するのが望ましい。
オペレータの指示により、或いは制御装置１２の判断により、ＤＶＤ更新時には、オペレータの負担が少ない収納部積層体７の上部に一時収納部８を形成し、ＤＶＤ更新作業が終了すると、収納部積層体７のＤＶＤ挿入口３から離隔した部位に一時収納部８を移し、収納部積層体７のＤＶＤ挿入口３に近接する部位は全て収納部６として使用するように、構成すれば良い。空の収納部６をまとめることにより、収納部積層体７のＤＶＤ挿入口３から離隔した部位に一時収納部８を移すことは可能である。収納部積層体７のＤＶＤ挿入口３から離隔した部位に形成した一時収納部８に、回収対象ＤＶＤが入っている場合には、収納部積層体７のＤＶＤ挿入口３に近接する部位に新たに形成した一時収納部８へ移動させれば良い。
【００２３】
読取装置１１をバケット１０に取付けるのに代えて、読取装置１１をケース１の天井壁等に取付け、ＤＶＤを取り込んだバケット１０が読取装置１１の近傍を必ず通過するように構成しても良い。読取装置１１は、バケット１０が近傍を通過する際に、ＤＶＤに取付けられた記録媒体から、ＤＶＤの個別認証情報を読み取ることができる。
単一の制御装置１２がディスプレイ４、バケット１０、バケット１０の駆動機構、搬出装置９、読取装置１１の作動制御と収納部６に収納されたＤＶＤの管理とを行うのに代えて、機器の作動制御を行う制御装置とＤＶＤの管理を行う制御装置とを別個独立に配設しても良い。個々の貸出返却装置Ａからは遠隔地のサービスセンターに、個々の貸出返却装置ＡのＤＶＤを管理する中央制御装置を配設しても良い。
【産業上の利用可能性】
【００２４】
ＤＶＤ貸出返却装置として具現化された本発明の実施例を説明したが、本発明は、ＣＤ等の薄箱状ケースに収納された物品、薄箱状ケース自体、薄箱状物品、その他の定形物品の貸出返却装置に広く利用可能である。
【図面の簡単な説明】
【００２５】
【図１】本発明の実施例に係るＤＶＤ貸出返却装置の外観斜視図である。
【図２】本発明の実施例に係るＤＶＤ貸出返却装置が備える収納部積層体の斜視図である。
【図３】本発明の実施例に係るＤＶＤ貸出返却装置が備える収納部積層体とバケット組立体の斜視図である。
【符号の説明】
【００２６】
Ａ  ＤＶＤ貸出返却装置
１  ケース
２  扉
３  ＤＶＤ挿入口
４  ディスプレイ
５  貨幣投入口
６  収納部
７  収納部積層体
８  一時収納部
９  搬出装置
１０  バケット
１０’  バケット組立体
１１  読取装置
１２  制御装置
【図１】
2008129739.tif 000003
【図２】
2008129739.tif 000004
【図３】
2008129739.tif 000005